(57)【要約】      （修正有）【課題】上端外周にフランジ部を有する主容器とこの主容器の付属品を簡単な作業で容易に保持でき、且つ保持した主容器と付属品の取り外しが容易に行える容器保持具を得る。【解決手段】下側基板２と上側基板３とを用いて上端外周にフランジ部４を有する主容器５と付属品６を保持する容器保持具であって、下側基板２は下面側に配置された主容器５の上端面に重ねられる下側基板本体部９を備え、下側基板本体部９には、付属品６を保持する付属品保持部１６を設け、下側基板２の上には付属品保持部９に保持された付属品６を押さえるように上側基板３を配置し、上側基板３は、下側基板本体部９に重ねられる上側基板本体部と、上側基板本体部の幅方向の幅方向の両側に連設された上側基板側壁部２１，２２とを備え、上側基板本体部の両側の折線上に、主容器５のフランジ部４の両側の一部を差し込むフランジ部差込スリット２３，２４を設けた。【選択図】図２
2008254742.tif 000002
【特許請求の範囲】
【請求項１】
相互に重ねて使用される下側基板と上側基板とを用いて上端外周にフランジ部を有する主容器とこの主容器の付属品を保持する容器保持具であって、
前記下側基板は下面側に配置された前記主容器の上端面に重ねられる下側基板本体部を備え、該下側基板本体部には、前記付属品を保持する付属品保持部が設けられ、前記下側基板の上には前記付属品保持容部に保持された付属品を押さえるように前記上側基板が配置され、
前記上側基板は、前記下側基板本体部に重ねられる上側基板本体部と、該上側基板本体部の幅方向の両側にそれぞれ折線を介して連設された上側基板側壁部とを備え、前記上側基板本体部の幅方向の両側の前記折線上に、前記主容器の前記フランジ部の両側のそれぞれ一部を差し込むフランジ部差込スリットがそれぞれ設けられていることを特徴とする容器保持具。
【請求項２】
前記付属品は上端外周にフランジ部を有して前記主容器より小径の副容器であり、前記下側基板本体部に設けられた前記付属品保持部は、前記副容器のフランジ部を係止して支持する副容器嵌合孔であることを特徴とする請求項１に記載の容器保持具。
【請求項３】
前記付属品は薄型物品であり、前記下側基板本体部に設けられた前記付属品保持部は、前記下側基板本体部の上面に形成された凹部或いは凸条で囲まれた凹状部からなる皿状部であることを特徴とする請求項１に記載の容器保持具。
【請求項４】
前記下側基板は、下側基板本体部のみからなり、該下側基板本体部は前記上側基板本体部の幅方向の両側の前記折線の間に重ねて配置されるようになっていることを特徴とする請求項１，２または３に記載の容器保持具。
【請求項５】
前記下側基板は、前記下側基板本体部の幅方向の両側にそれぞれ折線を介して連設された下側基板側壁部を備え、前記下側基板本体部の幅方向の両側の前記折線上に前記主容器の前記フランジ部を挿通させるフランジ部挿通口が前記上側基板の前記各フランジ部差込スリットに対応してそれぞれ設けられていることを特徴とする請求項１，２または３に記載の容器保持具。
【請求項６】
前記上側基板本体部の幅方向の両側の前記折線上に、前記下側基板本体部に設けられた前記副容器嵌合孔に対応して、前記副容器嵌合孔に嵌合した前記副容器の前記フランジ部を挿通させるフランジ部挿通口がそれぞれ設けられていることを特徴とする請求項２に記載の容器保持具。
【発明の詳細な説明】
【技術分野】
【０００１】
本発明は、相互に重ねて使用される下側基板と上側基板とを用いて上端外周にフランジ部を有する主容器とこの主容器の付属品を保持する容器保持具に関するものである。
【背景技術】
【０００２】
例えば、アイスクリーム、ヨーグルト、プリン、ゼリー、ミルク等を収容する容器として、上端外径より下端外径が小さく上端外周にフランジ部を有する円錐台形状で上端開放形の容器本体と、この容器本体の上端の開口部をフランジ部で剥離可能に閉塞するアルミ箔等の蓋とからなるものが知られている。
【０００３】
このような容器のうち、例えば、上端外径より下端外径が小さく上端外周にフランジ部を有してコーヒーゼリー等を収容する複数の主容器と、この主容器の付属品で上端外径より下端外径が小さく上端外周にフランジ部を有してミルク等を収容する小径の複数の副容器とを保持する容器保持具が提案されている（例えば、特許文献１参照。）。
【０００４】
この容器保持具は、相互に重ねて使用される下側基板と上側基板とを備えている。下側基板と上側基板とは、その幅方向に連続した構造になっていて、下側基板と上側基板との境界に折れ線が設けられていて、この折れ線の所で折り曲げて重ね合わされるようになっている。下側基板には、主容器のフランジ部を係止して支持する主容器嵌合孔が該下側基板の長手方向に所定間隔で設けられている。上側基板には、副容器のフランジ部を係止して支持する副容器嵌合孔が該上側基板の長手方向に各主容器嵌合孔に対応して設けられている。上側基板の連設側とは反対側の下側基板にはフラップ部が連設され、下側基板とフラップ部との境界には折れ線が設けられている。フラップ部は下側基板の上方に折り曲げられている。
【０００５】
このような容器保持具は、下側基板と上側基板とを水平に展開しておいて、この状態で下側基板の各主容器嵌合孔に主容器をそれぞれ嵌めてそのフランジ部を係止させて支持させ、上側基板の各副容器嵌合孔に副容器をそれぞれ嵌めてそのフランジ部を係止させて支持させ、かかる状態で、下側基板の上に上側基板を、その折れ線で折り曲げて重ね、上側基板を下側基板のフラップ部に粘着して固定する。
【特許文献１】実開昭６２−９３０６０号公報  第２図
【発明の開示】
【発明が解決しようとする課題】
【０００６】
しかしながら、このような構造の容器保持具では、上側基板を下側基板のフラップ部に粘着して固定することにより主容器とその付属品である副容器とを保持するので、接着剤を必要とし、接着剤を塗布する作業や、接着剤の塗布後に上側基板を下側基板のフラップ部に粘着して固定させる等の作業が面倒であり、また、容器保持具から主容器と副容器の取り外しにあっても面倒であり、また、主容器と副容器とを保持した状態では、下側基板の下に各主容器の底部がそれぞれ突出し、上側基板の上に各副容器の底部がそれぞれ突出するので、例えば商品保管や陳列時に、上側基板の上に、主容器と副容器とを保持した別の容器保持具を重ねることができないといった問題があった。
【０００７】
本発明の目的は、上端外周にフランジ部を有する主容器とこの主容器の付属品を簡単な作業で容易に保持でき、且つ保持した主容器と付属品の取り外しが容易に行えると共に、主容器と付属品を保持した容器保持具の上に、同様に主容器と付属品を保持した容器保持具を重ねることが可能な容器保持具を提供することにある。
【課題を解決するための手段】
【０００８】
上記の目的を達成するために、請求項１に記載の発明は、相互に重ねて使用される下側基板と上側基板とを用いて上端外周にフランジ部を有する主容器とこの主容器の付属品を保持する容器保持具であって、前記下側基板は下面側に配置された前記主容器の上端面に重ねられる下側基板本体部を備え、該下側基板本体部には、前記付属品を保持する付属品保持部が設けられ、前記下側基板の上には前記付属品保持部に保持された付属品を押さえるように前記上側基板が配置され、前記上側基板は、前記下側基板本体部に重ねられる上側基板本体部と、該上側基板本体部の幅方向の両側にそれぞれ折線を介して連設された上側基板側壁部とを備え、前記上側基板本体部の幅方向の両側の前記折線上に、前記主容器の前記フランジ部の両側のそれぞれ一部を差し込むフランジ部差込スリットがそれぞれ設けられていることを特徴とする。
【０００９】
請求項２に記載の発明は、請求項１に記載の、前記付属品は上端外周にフランジ部を有して前記主容器より小径の副容器であり、前記下側基板本体部に設けられた前記付属品保持部は、前記副容器のフランジ部を係止させて支持する副容器嵌合孔であることを特徴とする。
【００１０】
請求項３に記載の発明は、請求項１に記載の、前記付属品は薄型物品であり、前記下側基板本体部に設けられた前記付属品保持部は、前記下側基板本体部の上面に形成された凹部或いは凸条で囲まれた凹状部からなる皿状部であることを特徴とする。
【００１１】
請求項４に記載の発明は、請求項１，２または３に記載の、前記下側基板は、下側基板本体部のみからなり、該下側基板本体部は前記上側基板本体部の幅方向の両側の前記折線の間に重ねて配置されるようになっていることを特徴とする。
【００１２】
請求項５に記載の発明は、請求項１，２，または３に記載の、前記下側基板は、前記下側基板本体部の幅方向の両側にそれぞれ折線を介して連設された下側基板側壁部を備え、前記下側基板本体部の幅方向の両側の前記折線上に前記主容器の前記フランジ部を挿通させるフランジ部挿通口が前記上側基板の前記各フランジ部差込スリットに対応してそれぞれ設けられていることを特徴とする。
【００１３】
請求項６に記載の発明は、請求項２に記載の、前記上側基板本体部の幅方向の両側の前記折線上に、前記下側基板本体部に設けられた前記副容器嵌合孔に対応して、前記副容器嵌合孔に嵌合した前記副容器の前記フランジ部を挿通させるフランジ部挿通口がそれぞれ設けられていることを特徴とする。
【発明の効果】
【００１４】
請求項１に記載の容器保持具によれば、前記下側基板の下面側に配置された前記主容器の上端面に前記下側基板本体部を重ね、この下側基板本体部に形成された前記付属品保持部に付属品を配置し、前記下側基板の上に前記上側基板を重ね、該上側基板の前記フランジ部差込スリットに前記下側基板の下面側に配置された前記主容器の前記フランジ部の両側のそれぞれ一部を差し込むことにより、前記主容器は前記上側基板で保持され、そして、前記付属品保持部に配置された前記付属品は、前記フランジ部差込スリットに前記主容器のフランジ部の両側のそれぞれ一部が差し込まれて前記下側基板と重なった状態で固定される前記上側基板と下側基板との間で挟着され、確実に保持される。
【００１５】
また、前記主容器と付属品の保持は、前記下側基板本体部に形成された付属品保持部に前記付属品を配置し、前記主容器のフランジ部の両側のそれぞれ一部を前記上側基板のフランジ部差込スリットに差し込むといった簡単な作業で行うことができ、また、前記フランジ部差込スリットから主容器のフランジ部を抜き出すことにより、容器保持具に保持された主容器と付属品とを取り外すことができる。
【００１６】
また、主容器と付属品を保持した状態における前記上側基板の表面は平らなので、この容器保持具の上に前記主容器と付属品を保持した容器保持具を重ねることが可能となる。更に、この容器保持具では、前記上側基板と下側基板とを重ねて使用するので、これら上側基板や下側基板の厚みを薄くしても機械的強度を維持でき、容器保持具のコストダウンを図ることができる。また、前記上側基板の表裏面を利用してメッセージボード機能や店頭ディスプレイ効果を発揮させることができる。
【００１７】
請求項２に記載の容器保持具によれば、請求項１に記載の、前記付属品は上端外周にフランジ部を有して前記主容器より小径の副容器であり、前記下側基板本体部に形成された付属品保持部は、前記副容器のフランジ部を係止して支持する副容器嵌合孔であるので、前記下側基板本体部に形成された副容器嵌合孔に、前記副容器を前記下側基板本体部の上面側から嵌合し、前記副容器のフランジ部を副容器嵌合孔の縁に係止させ、この状態から前記上側基板を下側基板に重ね、上側基板のフランジ部差込スリットに前記主容器のフランジ部の両側のそれぞれ一部を差し込むことにより、前記副容器のフランジ部が前記上側基板と下側基板とで挟着されて保持される。
【００１８】
請求項３に記載の容器保持具によれば、請求項１に記載の、前記付属品は薄型物品であり、前記下側基板本体部に形成された付属品保持部は、前記下側基板本体部の上面に形成された凹部或いは凸条で囲まれた凹状部からなる皿状部であるので、前記下側基板本体部に形成された皿状部に薄型物品を収容し、この状態から前記上側基板を下側基板に重ね、前記上側基板のフランジ部差込スリットに前記主容器のフランジ部の両側のそれぞれ一部を差し込むことにより、前記上側基板により皿状部が塞がれ、皿状部内の薄型物品は上側基板と下側基板により挟着されて保持される。
【００１９】
請求項４に記載の容器保持具によれば、請求項１，２または３に記載の、前記下側基板は、下側基板本体部のみからなり、該下側基板本体部は前記上側基板本体部の幅方向の両側の前記折線の間に重ねて配置されるようになっているので、前記下側基板の幅を必要最小限にでき、その分容器保持具のコストダウンを図ることができる。
【００２０】
請求項５に記載の容器保持具によれば、請求項１，２，または３に記載の、前記下側基板は、前記下側基板本体部の幅方向の両側にそれぞれ折線を介して連設された下側基板側壁部を備え、前記下側基板本体部の幅方向の両側の前記折線上に前記主容器のフランジ部を挿通させるフランジ部挿通口が前記上側基板の各フランジ部差込スリットに対応してそれぞれ設けられているので、前記下側基板が上側基板とほぼ同じ大きさで重なる構造となり、容器保持具の機械的強度を向上させることができる。
【００２１】
請求項６に記載の容器保持具によれば、請求項２に記載の、前記上側基板本体部の幅方向の両側の前記折線上に、前記下側基板本体部に設けられた前記副容器嵌合孔に対応して、副容器嵌合孔に嵌合した前記副容器の前記フランジ部を挿通させるフランジ部挿通口がそれぞれ設けられているので、前記副容器のフランジ部の一部を前記フランジ部挿通口から上側基板の外に逃がすことができ、副容器のフランジ部が邪魔にならずに前記フランジ部差込スリットに前記主容器のフランジ部を確実に差し込むことができる。
【発明を実施するための最良の形態】
【００２２】
以下、本発明に係る容器保持具を実施するための最良の形態を図面を参照して詳細に説明する。
【００２３】
図１乃至図４は本発明に係る容器保持具の第１実施例を示したもので、図１は本例の容器保持具の展開斜視図、図２は図１の容器保持具の下側基板に主容器と付属品とをセットした状態の平面図、図３は図２の正面図、図４は本例の容器保持具で主容器と付属品とを保持した状態の正面図である。
【００２４】
本例の容器保持具１は、相互に重ねて使用される下側基板２と上側基板３とからなり、該下側基板２と上側基板３とを用いて上端外周にフランジ部４を有する主容器５と該主容器５の付属品６を保持するように構成されている。
【００２５】
本例の容器保持具１が保持する主容器５は、図２、図３に示すように、上端外径より下端外径が小さい円錐台形状の、例えばコーヒーゼリーを収容する容器であり、また、主容器５の付属品６は、主容器５より小径で上端外周にフランジ部７を有している副容器８である。
【００２６】
容器保持具１を構成する下側基板２にあっては、本例では、その縦幅（図２上、上下方向）は、主容器５の上端外径の直径より長くフランジ部４の直径よりは短い幅の下側基板本体部９を備えている。また、その横幅（図２上、左右方向）は、保持する主容器５の個数を横方向に一列に並べた長さ、及び後述する付属品保持部を設けるスペースを勘案して適宜設定される。本例では２個の主容器５を横方向に一列に並べて保持し、かつ、２個の副容器８を縦に並べて保持する付属品保持部を設けることを勘案して、下側基板２の長さを設定している。
【００２７】
本例では、更に、下側基板本体部９の幅方向（本例では縦幅方向）の両側にそれぞれ折線１０，１１を介して連設された下側基板側壁部１２，１３を備えている。そして、下側基板本体部９の両側の折線１０，１１上には、主容器５のフランジ部４を挿通させるフランジ部挿通口１４、１５が前記上側基板３の後述する各フランジ部差込スリット２３、２４に対応してそれぞれ設けられている。このフランジ部挿通口１４、１５にあっては、本例では孔となっているが、スリットであってもよい。
【００２８】
また、下側基板本体部９には、付属品６となる副容器８を保持する付属品保持部１６として、副容器８のフランジ部７を係止して支持する副容器嵌合孔１７が設けられている。副容器嵌合孔１７を設ける位置にあっては特に限定されないが、本例では、保持位置に配置された２個の主容器５の間の位置に設けられている。また、本例では付属品保持部１６は縦幅方向に長い長孔となっており、２個の副容器８を保持できるようになっているが、これに限定されない。
【００２９】
下側基板２とともに容器保持具１を構成する上側基板３にあっては、下側基板本体部９に重ねられる上側基板本体部１８と、該上側基板本体部１８の幅方向（本例では縦幅方向）の両側にそれぞれ折線１９，２０を介して連設された上側基板側壁部２１，２２を備えている。上側基板本体部１８は、その横幅は下側基板本体部９と同様となっているが、縦幅にあっては、両側に下側基板本体部９よりも板厚分だけ幅広とすることが好ましい。
【００３０】
上側基板本体部１８の両側の折線１９，２０上には、主容器５のフランジ部４の両側のそれぞれ一部を差し込むフランジ部差込スリット２３，２４がそれぞれ設けられている。このフランジ部差込スリット２３，２４にあっては、折線１９，２０上に所定の間隔を空けて、保持する主容器５の数に応じて設けられている。本例では主容器５の数は２個となっているが、これに限らない。また、保持する主容器５の間隔は、下側基板本体部９に設けた副容器嵌合孔１７に嵌合した副容器８が主容器５と干渉しない間隔とする。
【００３１】
更に、上側基板本体部１８の両側の折線１９，２０上には、下側基板本体部９に設けられた副容器嵌合孔１７に対応して、副容器嵌合孔１７に嵌合した副容器８のフランジ部７を挿通させるフランジ部挿通口２５，２６がそれぞれ設けられている。このフランジ部挿通口２５，２６にあっては、本例ではスリットとなっているが、孔であってもよい。
【００３２】
上記のように構成された下側基板２と上側基板３は、本例では折線２７を介して連設されており、折線２７から折り曲げて下側基板２に上側基板３を重ねるようにしているが、下側基板２に上側基板３が別体に構成されていてもよい。また、下側基板２と上側基板３を成形する材料として、本例では板紙が用いられているが、合成樹脂板であってもよく、可撓性と保形剛性を有する材料であれば、その材質は特に限定されない。
【００３３】
このように構成された容器保持具１では、図２に示すように、下側基板２における下側基板本体部９の下面側に２個の主容器５を配置し、各主容器５のフランジ部４を下側基板本体部９の両側の折線１０，１１上に設けられたフランジ部挿通口１４、１５に差し込み、下側基板側壁部１２，１３を折線１０，１１から下向きに折り曲げる。また、下側基板本体部９に設けられた副容器嵌合孔１７には、付属品６となる副容器８を下側基板本体部９の上面側から嵌合し、そのフランジ部７を副容器嵌合孔１７の縁に係止させて支持させる。
【００３４】
次に、図３に示すように、上側基板３を折線２７から下側基板２側へ折り曲げ、上側基板本体部１８を下側基板本体部９の上に重ねる。
【００３５】
しかる後、図４に示すように上側基板３の上側基板側壁部２１，２２を折線１９，２０から下向きに折り曲げつつ、折線１９，２０上に設けたフランジ部差込スリット２３，２４に主容器５のフランジ部４を差し込んで上側基板３の外に出す。
【００３６】
このとき、副容器嵌合孔１７の縁に係止している副容器８のフランジ部７の一部が下側基板本体部９の外側へ大きく出てしまう場合、本例では、上側基板本体部１８の両側の折線１９，２０上に、下側基板本体部９に設けられた副容器嵌合孔１７に対応して、副容器嵌合孔１７に嵌合した副容器８のフランジ部７を挿通させるフランジ部挿通口２５，２６が設けられているので、副容器８のフランジ部７の一部をフランジ部挿通口２５，２６から上側基板３の外に逃がすことができ、副容器８のフランジ部７が邪魔にならずに上側基板側壁部２１，２２を下向きに折り曲げ、フランジ部差込スリット２３，２４に主容器５のフランジ部４を確実に差し込むことができる。
【００３７】
このようにすることにより、主容器５は上側基板３で保持され、下側基板本体部９に設けられた副容器嵌合孔１７の縁に係止されている副容器８のフランジ部７が上側基板本体部１８で押さえられ、フランジ部差込スリット２３，２４に主容器５のフランジ部４が差し込まれて下側基板２と重なった 状態で固定される上側基板３と下側基板２との間で挟着され、確実に保持される。
【００３８】
このようにして保持された主容器５と副容器８は、フランジ部差込スリット２３，２４から主容器５のフランジ部４を抜き出すことにより、容器保持具１から容易に取り外ずせる。また本例では、下側基板２は、下側基板本体部９の幅方向の両側に下側基板側壁部１２，１３を備えているので、下側基板２が上側基板３とほぼ同じ大きさで重なる構造となり、容器保持具１の機械的強度を向上させることができる。
【００３９】
また、主容器５と副容器８を保持した状態における上側基板３の表面は平らなので、この容器保持具１の上に主容器５と副容器８を保持した容器保持具１を重ねることが可能となる。更に、この容器保持具１では、下側基板２と上側基板３とを重ねて使用するので、これら下側基板２や上側基板３の厚みを薄くしても機械的強度を維持でき、容器保持具１のコストダウンを図ることができる。また、上側基板３の表裏面を利用してメッセージボード機能や店頭ディスプレイ効果を発揮させることができる。
【００４０】
図５乃至図７は本発明に係る容器保持具の第２実施例を示したもので、図５は本例の容器保持具の展開図、図６は図５のＡ−Ａ線拡大断面図、図７は下側基板に上側基板を重ねた状態を示す拡大断面図である。本例で第１実施例と対応する部分には同一符号を付けて示す。
【００４１】
本例の容器保持具１は、第１実施例と同様、相互に重ねて使用される下側基板２と上側基板３とからなり、該下側基板２と上側基板３とを用いて上端外周にフランジ部４を有する主容器５とこの主容器５の付属品６を保持するように構成されている。
【００４２】
本例の容器保持具１が保持する主容器５は、上端外径より下端外径が小さい円錐台形状の容器であり、また、主容器５の付属品６は薄型物品２８であり、薄型物品２８としては、例えば、砂糖パック、醤油パック、塩パック、わさびパック、からしパック等の薄型包装体や、扁平なスプーン、ナイフ、フォーク等、薄型に成形できるものであれば、特に限定されない。
【００４３】
容器保持具１を構成する下側基板２には、付属品６となる薄型物品２８を保持する付属品保持部１６として、下側基板本体部９の上面に凹部或いは凸条で囲まれた凹状部からなる皿状部２９が設けられている。この皿状部２９の形状は薄型物品２８の形状に合わせて形成されるものであり、特に限定されない。皿状部２９にあっては、エンボス加工やクリーズ等により形成できる。本例では、更に、下側基板本体部９に、付属品６を保持する付属品保持部１６として、第１実施例と同様の副容器８を保持する副容器嵌合孔１７が設けられている。
【００４４】
下側基板２におけるこの他の構成及び上側基板３の構成にあっては、上記した第１実施例と同様なので、詳細は第１実施例を援用しその説明を省略する。
【００４５】
このように構成された容器保持具１では、下側基板２における下側基板本体部９の下面側に２個の主容器５を配置し、主容器５のフランジ部４を下側基板本体部９の両側の折線１０，１１上に設けられたフランジ部挿通口１４、１５に差し込み、下側基板側壁部１２，１３を折線１０，１１から下向きに折り曲げる。
【００４６】
そして、下側基板本体部９に設けられた付属品保持部１６となる皿状部２９に薄型物品２８を収容し、この状態から上側基板３を折線２７から下側基板２側へ折り曲げ、上側基板本体部１８を下側基板本体部９の上に重ね、上側基板３の上側基板側壁部２１，２２を折線１９，２０から下向きに折り曲げつつ、折線１９，２０上に設けたフランジ部差込スリット２３，２４に主容器５のフランジ部４を差し込んで上側基板３の外に出す。
【００４７】
これにより、主容器５は上側基板３で保持され、そして薄型物品２８を収容した皿状部２９は上側基板本体部１８により塞がれ、フランジ部差込スリット２３，２４に主容器５のフランジ部４が差し込まれ下側基板２と重なった状態出固定される上側基板３と下側基板２との間で挟着され、確実に保持される。
【００４８】
また、本例では、下側基板本体部９に、付属品６を保持する付属品保持部１６として、第１実施例と同様の副容器８を係止して支持する副容器嵌合孔１７が設けられているので、第１実施例と同様にして、副容器８も併せて保持することができる。
【００４９】
図８，図９は本発明に係る容器保持具の第３実施例を示したもので、図８は本例の容器保持具の展開図、図９は下側基板に上側基板を重ねた状態を示す拡大断面図である。本例で第１実施例、第２実施例と対応する部分には同一符号を付けて示す。
【００５０】
本例の容器保持具１は、第１実施例と同様、相互に重ねて使用される下側基板２と上側基板３とからなり、該下側基板２と上側基板３とを用いて上端外周にフランジ部４を有する主容器５とこの主容器５の付属品６を保持するように構成されている。
【００５１】
本例の容器保持具１を構成する上側基板３には、この容器保持具１の上に、更に主容器５と付属品６を保持した容器保持具１を重ねた場合に、上に位置する容器保持具１に保持される主容器５の底部に嵌合して、該主容器５が下に位置する容器保持具１の上側基板３の面方向に移動することを阻止できるようにした移動阻止部３０が設けられている。この移動阻止部３０は、下側基板２に上側基板３を重ねたとき、上側基板３の上面側となる面に突出するリング状の突起により形成されている。このリング状の突起はエンボス加工やクリーズ等により形成できる。
【００５２】
このようにすることにより、主容器５と付属品６を保持した容器保持具１の上に、更に主容器５と付属品６を保持した容器保持具１を重ねても、上に位置する容器保持具１に保持される主容器５の底部が、下に位置する容器保持具１の上側基板３に設けられた移動阻止部３０に嵌合して上側基板３の面方向に移動することが阻止されるので、上に位置する容器保持具１の安定が良好になる。
【００５３】
その他の構成は、上記した第１実施例、第２実施例と同様なので、詳細は第１実施例、第２実施例を援用しその説明を省略する。
【００５４】
図１０は本発明に係る容器保持具の第４実施例を示したもので、図１０は本例の容器保持具の展開図である。本例で第１実施例と対応する部分には同一符号を付けて示す。
【００５５】
本例の容器保持具１は、下側基板２が、下側基板本体部９のみからなり、下側基板本体部９は上側基板本体部１８の幅方向の両側の折線１９，２０の間に重ねて配置されるようになっている。
【００５６】
このようにすることにより、下側基板２の幅を必要最小限にでき、その分容器保持具１のコストダウンを図ることができる。
【００５７】
その他の構成は、上記した第１実施例とほぼ同様なので、詳細は第１実施例を援用しその説明を省略する。
【図面の簡単な説明】
【００５８】
【図１】本発明に係る容器保持具の第１実施例の展開斜視図である。
【図２】図１の容器保持具の下側基板に主容器と付属品とをセットした状態の平面図である。
【図３】図２の正面図である。
【図４】第１実施例の容器保持具で主容器と付属品とを保持した状態の正面図である。
【図５】本発明に係る容器保持具の第２実施例の展開図である。
【図６】図５のＡ−Ａ線拡大断面図である。
【図７】第２実施例の下側基板に上側基板を重ねた状態を示す拡大断面図である。
【図８】本発明に係る容器保持具の第３実施例の展開図である。
【図９】第３実施例の下側基板に上側基板を重ねた状態を示す拡大断面図である。
【図１０】本発明に係る容器保持具の第４実施例の展開図である。
【符号の説明】
【００５９】
１  容器保持具
２  下側基板
３  上側基板
４  フランジ部
５  主容器
６  付属品
７  フランジ部
８  副容器
９  下側基板本体部
１０，１１  折線  
１２，１３  下側基板壁部
１４，１５  フランジ挿通口
１６  付属品保持部
１７  副容器嵌合孔
１８  上側基板本体部
１９，２０  折線
２１，２２  上側基板壁部
２３，２４  フランジ部差込スリット
２５，２６  フランジ挿通口
２７  折線
２８  薄型物品
２９  皿状部
３０  移動阻止部
【図１】
2008254742.tif 000003
【図２】
2008254742.tif 000004
【図３】
2008254742.tif 000005
【図４】
2008254742.tif 000006
【図５】
2008254742.tif 000007
【図６】
2008254742.tif 000008
【図７】
2008254742.tif 000009
【図８】
2008254742.tif 000010
【図９】
2008254742.tif 000011
【図１０】
2008254742.tif 000012